(57)【特許請求の範囲】
【請求項１】
装置本体の上面を排紙部としてなる画像記録装置において、
上記装置本体の上面に、上記排紙部への排紙及び排紙された用紙の取り出しを妨げないように支持部を上記装置本体の上方へ突設して備え、
該支持部上に、その上面に物品を載置可能な天板を上記排紙部から空間をあけて配置するものとし、
上記支持部を、少なくとも、上記装置本体の一側に設けられて上記排紙部へ排出する排紙口を有する突出部の側の部位と、該突出部と対向する一辺であって上記装置本体後方から正面側へ延設される支持部材とで構成し、
上記排紙部における上記装置本体の正面側および該正面側と隣り合う上記装置本体の一側面側とを連続して開放するように、少なくとも上記天板の対向する２辺を、上記支持部の上記突出部の側の部位と上記支持部材とに取り付けてなる画像記録装置であって、
柱状の部材をコ字状に組み、上記装置本体とは別体で形成した脚の開口側が上記装置本体の正面側へ向くようにし、横になるビーム材を上記支持部材として上記天板を取り付けるとともに、
上記突出部を上記装置本体とは別体で形成したスペーサで構成し、かつ上記天板の上記突出部側の部位の下面に突起を少なくとも一つ備え、
上記スペーサには、上記突起を挿入する取り付け用の穴を少なくとも一つ備えてなる
ことを特徴とする画像記録装置。
【発明の詳細な説明】
【０００１】
【発明の属する技術分野】
本発明は、装置本体の上面を排紙部としたプリンタ等の画像記録装置に関し、特にテーブルを兼用できるようにしたものや天板の支持構造を改良したものに関する。
【０００２】
【従来の技術及び発明が解決しようとする課題】
一般に普及しているレーザプリンタ等では、装置本体の上面を排紙部としてなるものが多いが、用紙の排出の邪魔になってはならないので、排紙部の上には何も物を置けないようになっている。小型のプリンタであれば、台、机あるいはキャビネット等の上に載置するので特に問題はないが、中型や大型のプリンタの場合には床面上に直接にあるいはベース板を置いて設置するのにもかかわらず、大型であっても一般にはあまり背が高いものではないので、上部を空けておかなければならないのは非常に空間を無駄にすることになる。また上面を排紙部とした場合、埃の堆積などが問題になる。小型のプリンタではカバーを掛ける等して簡単に対処でき、掛けたり外したりも簡単に行えるが、大型のものではカバーを掛けること自体が面倒なだけでなく、使用時に取り外し、用済み後に再び掛けるという作業が面倒で、結局は排紙部を曝したままにしてしまうことになる。
【０００３】
そして近年では、オフィス内でのＬＡＮによるネットワーク化が進み、プリンタもネットワークに接続して複数のパソコン等の端末から共通に使用する形態が増え、そのため処理能力の高い大型のものが増えているところから、上述のような問題が切実に解決を希求されるようになってきている。そこで本発明は、上面を机あるいはテーブル兼用とすることができ、上記従来の問題点を解決可能なプリンタ等の画像記録装置を提供することを目的とする。また本発明は、上面を机あるいはテーブル兼用とするために支持構造を改良した画像記録装置を提供することをも目的とする。
【０００４】
【課題を解決するための手段】
本発明の画像記録装置のうち請求項１に係るものは、上記目的を達成するために、
装置本体の上面を排紙部としてなる画像記録装置において、
上記装置本体の上面に、上記排紙部への排紙及び排紙された用紙の取り出しを妨げないように支持部を上記装置本体の上方へ突設して備え、
該支持部上に、その上面に物品を載置可能な天板を上記排紙部から空間をあけて配置するものとし、
上記支持部を、少なくとも、上記装置本体の一側に設けられて上記排紙部へ排出する排紙口を有する突出部の側の部位と、該突出部と対向する一辺であって上記装置本体後方から正面側へ延設される支持部材とで構成し、
上記排紙部における上記装置本体の正面側および該正面側と隣り合う上記装置本体の一側面側とを連続して開放するように、少なくとも上記天板の対向する２辺を、上記支持部の上記突出部の側の部位と上記支持部材とに取り付けてなる画像記録装置であって、
柱状の部材をコ字状に組み、上記装置本体とは別体で形成した脚の開口側が上記装置本体の正面側へ向くようにし、横になるビーム材を上記支持部材として上記天板を取り付けるとともに、
上記突出部を上記装置本体とは別体で形成したスペーサで構成し、かつ上記天板の上記突出部側の部位の下面に突起を少なくとも一つ備え、
上記スペーサには、上記突起を挿入する取り付け用の穴を少なくとも一つ備えてなる
ことを特徴とする。
【００１０】
【発明の実施の形態】
以下本発明の実施の形態を図面を参照して説明する。
図１は本発明に係る画像記録装置の一実施形態であるプリンタを示す正面側からの斜視図である。この実施形態のプリンタは、主に、画像記録装置本体（以下単に装置本体）１と、その直下に２段に配した給紙部２、２と、装置本体１の上部にスペーサ３、４を介して取り付けた天板５とからなり、装置本体１の上部を排紙部６としたものである。この装置は、給紙部２からの用紙を図１中の右端側に内蔵する図示せぬ搬送経路を介して鉛直上方に搬送し、装置本体１内のこれも図示せぬ作像系によって画像を記録した後、正面側から見て右側のスペーサ３の下部に位置する装置本体１のケーシングの突出部７に開口する排紙口８から排紙部６上へ排紙する、いわゆる鉛直方向搬送パス方式と称するタイプのものである。なお突出部７内には、画像定着後の用紙を排紙するための排出ローラ等の排紙機構を設けてあるが、図示は省略する。
【００１１】
スペーサ３は、装置本体１のケーシングの突出部７の上に取り付けるように、突出部７の形に対応させた外形を有し、またスペーサ４は、装置本体１の背面側で装置本体１と給紙部２の上部とのなす段差部を利用して、いわば装置本体１の背面に背負わせる形態で取り付けるように、板状の外形を有する。天板５はこれらスペーサ３、４の上に搭載するので、スペーサ３、４の高さを変えることにより天板５の上面の高さ位置を自由に調整できる。なお背面側のスペーサ４には、電源ケーブルその他種々のケーブルを接続するためのコネクタ類を収納するように構成することもできる。
【００１２】
天板５は、例えば隣に配置する机９とスペーサ３、４により面一になるようにするとともに、机９と合わせた外観を有する等した矩形の板材で、正面側となる前縁の中央部を切り欠いて透明部材１０を装着したものである。透明部材１０の奥行き方向の寸法は、例えば奥側にパソコンやスキャナ、小型のプリンタ１１等、あるいは本立て等を置けるスペースが残るようなものとしてある。前縁の一部を切り欠いて透明部材１０を配してあるので、排紙部６上に排紙された用紙の視認性はよい。また前縁の端部の下側を斜めにカットしてあり（図中矢印Ｘで示す。）、わずかではあるが排紙部６の視認性を高めるとともに、排紙部６へ手を入れるときや引き抜くときに角に手が当たったり、擦れたりすることをなくして用紙の取り出しが楽に行えるようにしてある。
【００１３】
なお天板５とスペーサ３、４を別部材としているが、もちろん一体で構成してもよい。ただし一体構成とした場合、机９の上面との高さ調整用に別途に薄いスペーサを用意する必要が生じる可能性がある。
【００１４】
図２は、本発明に係る画像記録装置の第２の実施形態であるプリンタを示す正面側からの斜視図である。この実施形態のプリンタの天板２０は、透明部材１０を設けていない点を除き、先の実施形態と同じ構成を有する。透明部材１０を設けていないため排紙部６上の用紙の視認性、用紙の取り出し性では劣るが、天板２０の上面には全面的に物品を置けるので、テーブルとしての機能は高い。その他の先の実施形態と共通する部分についての重複する説明は省略する。
【００１５】
図３は、本発明に係る画像記録装置の第３の実施形態であるプリンタを示す正面側からの斜視図である。この実施形態のプリンタの天板３０は、先の実施形態で透明部材１０を設けた部位を含み、図中左側の側縁まで連なる切り欠き３１を設けた点を除き、先の実施形態と同じ構成を有する。この実施形態が排紙部６上に排紙された用紙の視認性、取り出し性はもっともよいが、天板５の上面の使用可能面積はもっとも小さくなる。その他の先の実施形態と共通する部分についての重複する説明は省略する。
【００１６】
図４は、本発明に係る画像記録装置の第４の実施形態であるプリンタを示す正面側からの斜視図、図５は同組み立て状態を示す分解斜視図である。この実施形態のプリンタは、第１の実施形態のプリンタとほぼ同様の構成を有するが、天板５の支持構造が異なっている。すなわち後述するように、先の実施形態では天板５の隣り合う２辺を支えるものであるのに対し、この実施形態では対向する２辺またはこれらを含む３辺を支持するものとなっている。
【００１７】
天板５の支持構造としては、装置本体１とは別体で形成した左脚４０、スペーサ４１、スペーサ４１内へ埋設する形態で取り付ける右脚４２から構成してある。スペーサ４１は第１実施形態のスペーサ３に相当するが、より背の高いものとしてある。このため第１実施形態で装置本体１の後方に設けてあったスペーサ４に相当するスペーサは設けないようにしているが、排紙部６から装置本体１後方への用紙の落下を防ぐためや、天板５の支持構造の強化のために、スペーサ４１と同じ高さのものを設けてもよい。もちろん用紙の落下防止だけを目的として、スペーサ４程度の高さのものであって天板５の支持には寄与しないものを設けてもよい。
【００１８】
またこの実施形態のプリンタは、装置本体１を搭載して可動とするためのキャスター台４３を装置本体１の下部に備えている。左脚４０は、角柱状等の部材をコ字状に組み、開口側が正面へ向くようにして取り付けるもので、縦になる部材であるコラム材４０ａの上部を装置本体１の左側面後部に、横になる部材であるビーム材４０ｂのうちの下部のものをキャスター台４３の左側面にそれぞれビス止めする。なおコラム材４０ａの装置本体１の左側面へのビス止めには、たとえば装置本体１の左横にフィニッシャ等を取り付けるために設けてあるビス穴を利用するとよい。
【００１９】
右脚４２も、左脚４０と同様に角柱状等の部材をコ字状に組み、図６に示すように開口側が下方へ向くようにして横になる部材であるビーム材４２ａを天板５の下面にビス止めする。図６では天板５を引っ繰り返してあるので開口側が上方に向いている。なお図示の形態では縦になる部材である一対のポスト材４２ｂ、４２ｂの開口側端部を尖らせて、スペーサ４１への挿入を容易に行えるようにしてある。
【００２０】
スペーサ４１は、正面側及び奥側の２ヶ所に右脚４２のポスト材４２ｂ、４２ｂを挿入するための穴４４、４４を設けてある。右脚４２のポスト材４２ｂをできるだけ長くするほうが取り付け構造としては安定するので、装置本体１のケーシングの突出部７の上面を構成する部材（天板を設けない場合に最上面を構成する部材）を取り去り、突出部７内まで脚４２のポスト材４２ｂを挿入できるようにするとよい。
【００２１】
図７は、この実施形態において天板５を固定しようとする状態の斜視図である。この図を利用してこの実施形態における組み立て手順を説明する。すでに述べたように左脚４０、スペーサ４１を装置本体１に取り付けておき、また右脚４２を天板５に取り付けておく。そして、右脚４２のポスト材４２ｂ、４２ｂをスペーサ４１の穴４４、４４へ挿入し、左脚４０の上側のビーム材４０ｂの下側からビスを天板５の下面へ捩じ込み、スペーサ４１の外側から右脚４２のポスト材４２ｂ、４２ｂへビスを捩じ込み、天板５をしっかりと装置本体１上に固定する。これによって、先の実施形態では天板５の前縁及び左縁が支持されていなかったのに対し、少なくとも左右の対向する２辺が支持されるので、支持構造としては強固になる。
【００２２】
図８は、梱包状態を示す斜視図である。梱包用の箱４５内に天板５を入れ、その上にスペーサ４１と左脚４０を載せ、左脚４０の内側に右脚４２を配して天板５上に載せ、余分なスペースを要せずに、天板５とスペーサ４１とを組み合わせたサイズで梱包できるようになっている。
【００２３】
図９は、左脚の変形例を示す斜視部分図である。この左脚４６は、コラム材を２部材で形成し、ビス止めで２部材を固定することによって高さ方向の寸法を変更可能としたものである。右脚についても同様の構成とすることができる。
【００２４】
なお、この第４の実施形態では左脚のみ設けているが、装置本体１の右側についてもスペーサで天板５を支持するのではなく、左脚４０と同様の右脚を設けて支持してもよい。また脚を装置本体１へ取り付けるのに、図示の例では装置本体１の側面側へ若干突出するように設けてあるが、装置本体の横に机９やその他の装置が位置する場合には、脚の突出が邪魔になる。そこで、装置本体１の側面側の有効利用を図るために、脚のコラム材４０ａを装置本体１の背面側に取り付け、ビーム材４０ｂが後ろ側から装置本体１上へ張り出すようにして取り付けるように構成することもできる。
【００２５】
さらに図１０に示すように、装置本体１の後部の角部に窪み１ａを設けて脚のコラム材４０ａをこの窪み１ａ内へ収めたり（Ａ）、装置本体１の側部に窪み１ｂを設けて脚のコラム材４０ａをこの窪み１ｂ内へ収めたり（Ｂ）、装置本体１の後部の角部近傍に穴１ｃを設けて脚のコラム材４０ａをこの穴１ｃ内へ挿通させたり（Ｃ）して、装置本体１との一体感を高め、脚が装置本体１から突出しないようにすることによって装置本体１の側面や後面側のスペースを有効に利用可能とすることもできる。
【００２６】
図１１は、本発明の実施形態で採用可能な天板の変形例を示す斜視図である。この例の天板５０は、装置本体１の前側に位置する部材５０ａと後側に位置する部材５０ｂとをヒンジ５１、５１を用いて連結し、前側部材５０ａを折り上げることによって排紙部６の視認性、用紙の取り出し性を高めたものである。
【００２７】
図１２は、本発明の実施形態で採用可能な天板の他の変形例を示す斜視図である。この例の天板６０は、装置本体１の前側に位置する部位に切り欠き６１を設け、そこにスライド部材６２を出没可能に取り付けて構成したものである。この例でも、スライド部材６２を天板６０内へ引っ込めれば排紙部６の視認性を高めるとともに用紙の取り出し性を向上させることができる。またスライド部材６２を透明部材としておけば、スライド部材６２を天板６０内へ引っ込めなくても視認性については向上させることができる。
なお、装置本体の上面に、排紙部への排紙及び排紙された用紙の取り出しを妨げないように支持部を備え、その支持部を、排紙部における装置本体の正面側および正面側と隣り合う装置本体の一側面側とを連続して開放するように上方へ突設し、支持部上に、その上面に物品を載置可能な天板を上記排紙部から空間をあけて配置し、天板を、少なくともその隣り合う２辺で上記支持部に取り付けてなるので、天板の上面をテーブルあるいは机の上面と同様に使用することが可能になり、排紙部の上方空間を有効に活用できるようになり、排紙部の上方を天板で覆うことになるので、排紙部にカバーを掛けた場合と同様に埃の堆積をある程度防げるようになる。
また装置本体の正面側に位置する天板の前縁の少なくとも一部に上方から排紙部を視認可能な透明部を設ければ、排紙部に排紙された用紙の一部が装置本体の前方斜め上方からよく見えるようになり、排紙部内に用紙があるかどうかが視認しやすくなる。
また、装置本体の正面側に位置する天板の前縁の少なくとも一部に上方から排紙部を視認可能な切り欠きを設ければ、排紙部に排紙された用紙の一部が装置本体の前方斜め上方からよく見えるようになり、排紙部内に用紙があるかどうかが視認しやすくなる。
また、天板の上面までの高さを通常の机等の上面と面一になる高さとすれば、オフィス内で隣接する机やテーブル等と高さをそろえることができ、例えばサイドテーブルのように使用することが可能になって非常に便利になる。
さらに、天板の上記装置本体の正面側に位置する前縁の下部を斜めにカットすれば、排紙部の視認性がさらに高まり、また排紙部へ手を入れるときや引き抜くときに天板の角に手が当たったり、擦れたりすることがなくなり、用紙の取り出しが楽に行えるようになる。
またさらに、装置本体とは別体で形成した脚を少なくとも支持部と対向するように装置本体に取り付け、少なくとも天板の支持部と対向する側の部位を脚で支持すれば、支持強度、耐久性が増し、テーブルとしての天板上に搭載可能な重量が大きくなる。
【００２８】
【発明の効果】
本発明に係る画像記録装置は、以上説明してきたように、装置本体の上面に、排紙部における装置本体の正面側および該正面側と隣り合う装置本体の一側面側とを連続して開放するように、少なくとも天板の対向する２辺を、支持部の突出部の側の部位と支持部材とに取り付け、柱状の部材をコ字状に組み、装置本体とは別体で形成した脚の開口側が装置本体の正面側へ向くようにし、横になるビーム材を支持部材として天板を取り付けるとともに、突出部を装置本体とは別体で形成したスペーサで構成し、かつ天板の突出部側の部位の下面に突起を少なくとも一つ備え、スペーサには、突起を挿入する取り付け用の穴を少なくとも一つ備えてなる構成としたので、強固に天板を固定することができるという効果が得られ、また排紙部に排紙された用紙の一部が装置本体の前方斜め上方からよく見えるようになり、排紙部内に用紙があるかどうかが視認しやすくなる。
また天板の上面をテーブルあるいは机の上面と同様に使用することが可能になり、排紙部の上方空間を有効に活用できるようになるという効果がある。また排紙部の上方を天板で覆うことになるので、排紙部にカバーを掛けた場合と同様に埃の堆積をある程度防げるようになるという効果もある。
【図面の簡単な説明】
【図１】本発明に係る画像記録装置の一実施形態であるプリンタを示す正面側からの斜視図である。
【図２】本発明に係る画像記録装置の第２の実施形態であるプリンタを示す正面側からの斜視図である。
【図３】本発明に係る画像記録装置の第３の実施形態であるプリンタを示す正面側からの斜視図である。
【図４】本発明に係る画像記録装置の第４の実施形態であるプリンタを示す正面側からの斜視図である。
【図５】第４の実施形態の組み立て状態の分解斜視図である。
【図６】同じく天板への右脚の取り付け状態の分解斜視図である。
【図７】同じく天板を固定しようとする状態の斜視図である。
【図８】同じく梱包状態を示す斜視図である。
【図９】同じく左脚の変形例を示す斜視部分図である。
【図１０】同じく左脚の装置本体取り付け構造の変形例を示す平面断面図である。
【図１１】本発明の実施形態で採用可能な天板の変形例を示す斜視図である。
【図１２】本発明の実施形態で採用可能な天板の他の変形例を示す斜視図である。
【符号の説明】
１  装置本体
１ａ、１ｂ  窪み
１ｃ  穴
２  給紙部
３、４  スペーサ
５、２０、３０、５０、６０  天板
６  排紙部
７  突出部
８  排紙口
９  机
１０  透明部材
１１  小型のプリンタ
３１  切り欠き
４０、４６  左脚
４０ａ  コラム材
４０ｂ  ビーム材
４１  スペーサ
４２  右脚
４２ａ  ビーム材
４２ｂ  ポスト材
４３  キャスター台
４４  穴
４５  梱包用の箱
５０ａ  天板の前側部材
５０ｂ  同じく後側部材
５１  ヒンジ
６１  切り欠き
６２  スライド部材
Ｘ  天板の前縁の斜めカット部分
【図１】
0004337107.tif 000002
【図２】
0004337107.tif 000003
【図３】
0004337107.tif 000004
【図４】
0004337107.tif 000005
【図５】
0004337107.tif 000006
【図６】
0004337107.tif 000007
【図７】
0004337107.tif 000008
【図８】
0004337107.tif 000009
【図９】
0004337107.tif 000010
【図１０】
0004337107.tif 000011
【図１１】
0004337107.tif 000012
【図１２】
0004337107.tif 000013